(57)【要約】【課題】表示器２用の表示器２にＷｅｂブラウザ画面を採用した場合にもデバイス５内部で発生するイベントをリアルタイムに表示することができる電子機器を提供する。【解決手段】デバイス５の操作を行うと共にデバイス５の動作状態を表示する表示器２と、表示器２の表示形式としてＷｅｂブラウザ形式を採用するための閲覧ソフトがインストールされた画面作成部３と、画面作成部３で作成されたＷｅｂページ情報に基づいて表示器２の画面表示状態を制御するＷｅｂサーバ４と、デバイス５からの動作状態が通知される状態通知部としての制御回路６とを備え、制御回路６はデバイス５から動作状態の更新情報が出力された場合には、その更新情報に応じたＷｅｂページ情報を画面作成部３に作成させて表示器２に表示させる。【選択図】      図１
2008287531.tif 000002
【特許請求の範囲】
【請求項１】
デバイスの操作を行うと共に前記デバイスの動作状態を表示する表示器と、該表示器の表示形式としてＷｅｂブラウザ形式を採用するための閲覧ソフトがインストールされた画面作成部と、該画面作成部で作成されたＷｅｂページ情報に基づいて表示器の画面表示状態を制御するＷｅｂサーバと、前記デバイスからの動作状態が通知される状態通知部とを備え、
前記状態通知部は、前記デバイスから動作状態の更新情報が出力された場合には、その更新情報に応じたＷｅｂページ情報を前記画面作成部に作成させて前記表示器に表示させることを特徴とする電子機器。
【請求項２】
表示器でＷｅｂブラウザ画面を表示するためのＷｅｂページ情報を画面作成部に要求する表示要求ステップと、
要求されたＷｅｂページ情報を前記画面作成部で作成して前記表示器にＷｅｂブラウザ画面を表示させるＷｅｂページ情報作成ステップと、
デバイス内で発生した新たなイベントに応じてイベント更新情報を出力するイベント更新情報出力ステップと、
イベント更新情報を受信した場合に前記表示器で表示中のＷｅｂページ情報を前記イベント更新情報に従って更新する表示更新ステップと、
をコンピュータで実行することを特徴とする状態表示方法。
【請求項３】
表示器でＷｅｂブラウザ画面を表示するためのＷｅｂページ情報を画面作成部に要求する表示要求ステップと、
要求されたＷｅｂページ情報を前記画面作成部で作成して前記表示器にＷｅｂブラウザ画面を表示させるＷｅｂページ情報作成ステップと、
デバイス内で発生した新たなイベントに応じてイベント更新情報を出力するイベント更新情報出力ステップと、
イベント更新情報を受信した場合に前記表示器で表示中のＷｅｂページ情報を前記イベント更新情報に従って更新する表示更新ステップと、
をコンピュータに実行させるための状態表示プログラム。
【発明の詳細な説明】
【技術分野】
【０００１】
本発明は、電子機器、特に、Ｗｅｂブラウザ画面を表示する表示器を備えた電子機器に関する。
【背景技術】
【０００２】
従来、電子機器、例えば、プリンタ・複写（コピー）機・ファクシミリ、或いはこれらを機能的に備えた複合機等の画像形成装置には、その操作のためにタッチパネル方式の表示器が設けられていると共に、インターネットやイントラネット等のネットワークに接続しているものが周知である。
【０００３】
このようなネットワークには、画像形成装置の上位装置としてクライアント端末やサーバ等が接続されている。また、上位装置には、モニタでの閲覧用としてＷｅｂブラウザ等の閲覧ソフトがインストールされている。
【０００４】
これにより、上位装置の利用者は、閲覧ソフトを起動させてＷｅｂブラウザ画面をモニタに表示させた後に、ネットワークに接続しているＷｅｂサーバにアクセスすると共に、Ｗｅｂサーバに予め格納された情報若しくは適宜作成される構造化された情報を、ＨＴＭＬ形式等を用いてデータ化されたＷｅｂページ情報として取得し、上位装置のモニタに表示されたＷｅｂブラウザ画面で閲覧することができる（例えば、特許文献１参照）。
【０００５】
ネットワークに接続しているＷｅｂサーバには、複数のＷｅｂページ情報を作成・格納することが可能であることから、各Ｗｅｂページ情報には、そのＷｅｂページ情報を特定（指定）するためのＵＲＬが設定されている。
【０００６】
上位装置の利用者は、このＵＲＬをモニタに表示したＷｅｂブラウザ画面のＵＲＬ入力部に入力することにより、所望のＷｅｂページにアクセスすることができる。
【０００７】
一方、ネットワーク接続された画像形成装置は、トナーチェック・用紙切れ・紙詰まり等のステータスと称される自己の取り得る動作状態を上位装置のモニタにＷｅｂページ画面で表示すべく、Ｗｅｂサーバを組み込んでいる。
【０００８】
画像形成装置の動作状態を示すＷｅｂページ画面は複数のフレームで構成されている。各フレームは、必要に応じて更に複数のフレームで、階層的に構成されている。これらの各フレームは、上位装置のモニタに表示するだけではなく、プログラム制御を行うフレーム等もあり、階層的に構成される各フレームで示された画像がＷｅｂページ画面に表示される。
【０００９】
動作状態を示すＷｅｂページの各フレームは、例えばプリンタ・コピー・ＦＡＸ通信などを行う毎に、それらの動作状態を示している。また、これらの各フレームには、種々の動作状態を示す情報が一体的に関連付けられており、Ｗｅｂブラウザを閲覧している上位装置（の利用者）から動作状態の取得要求があると、動作状態を示す情報が一体的に関連付けられたフレームを示すファイルが、画像形成装置のＷｅｂサーバから上位装置に送信され、Ｗｅｂブラウザ画面に表示される。
【００１０】
また、再度、上位装置から動作状態の取得要求があると、ネットワークにおけるデータ通信量を軽減し得る動作状態通知方法を提供すべく、自己の動作状態を上位装置へ通知する画像形成装置は、被判定情報を保持する被判定情報保持部と、被判定情報に基づいて自己の動作状態を表示させるための表示制御情報を保持する表示制御情報保持部と、動作状態の取得要求に応じて被判定情報保持部から被判定情報を取得する被判定情報取得部と、取得した被判定情報と表示制御情報保持部で保持する表示制御情報とを上位装置に送信してその上位装置での表示制御情報に基づく制御により被判定情報が示すデータ処理装置の各動作状態が判定され表示され且つ表示制御情報が保持された後に、再度上位装置から自己の動作状態の取得要求があると、現在の被判定情報を上位装置に送信する通信部とを備えている。
【００１１】
尚、このようなＷｅｂページ情報は、ＨＴＭＬ形式等を用いてデータ化されたＷｅｂページ情報として画像形成装置本体に格納され、画像形成装置の表示器にブラウザ画面として表示することもできる。
【特許文献１】特開２００４−１５１９５３号公報
【発明の開示】
【発明が解決しようとする課題】
【００１２】
ところが、上記の如く構成された画像形成装置にあっては、画像形成装置の状態確認のために、画像形成装置の動作状態の更新に拘らず、Ｗｅｂサーバから動作状態を一定時間間隔で問い合わせなければならないという問題が生じていた。
【００１３】
そこで、本発明は、上記事情を考慮し、表示器用の表示器にＷｅｂブラウザ画面を採用した場合にもデバイス内部で発生するイベントをリアルタイムに表示することができる電子機器、状態表示方法、状態表示プログラムを提供することを目的とする。
【課題を解決するための手段】
【００１４】
本発明の電子機器は、デバイスの操作を行うと共に前記デバイスの動作状態を表示する表示器と、該表示器の表示形式としてＷｅｂブラウザ形式を採用するための閲覧ソフトがインストールされた画面作成部と、該画面作成部で作成されたＷｅｂページ情報に基づいて表示器の画面表示状態を制御するＷｅｂサーバと、前記デバイスからの動作状態が通知される状態通知部とを備え、前記状態通知部は、前記デバイスから動作状態の更新情報が出力された場合には、その更新情報に応じたＷｅｂページ情報を前記画面作成部に作成させて前記表示器に表示させることを特徴とする。
【００１５】
また、本発明の状態表示方法は、表示器でＷｅｂブラウザ画面を表示するためのＷｅｂページ情報を画面作成部に要求する表示要求ステップと、要求されたＷｅｂページ情報を前記画面作成部で作成して前記表示器にＷｅｂブラウザ画面を表示させるＷｅｂページ情報作成ステップと、デバイス内で発生した新たなイベントに応じてイベント更新情報を出力するイベント更新情報出力ステップと、イベント更新情報を受信した場合に前記表示器で表示中のＷｅｂページ情報を前記イベント更新情報に従って更新する表示更新ステップと、をコンピュータで実行することを特徴とする。
【００１６】
さらに、状態表示プログラムは、表示器でＷｅｂブラウザ画面を表示するためのＷｅｂページ情報を画面作成部に要求する表示要求ステップと、要求されたＷｅｂページ情報を前記画面作成部で作成して前記表示器にＷｅｂブラウザ画面を表示させるＷｅｂページ情報作成ステップと、デバイス内で発生した新たなイベントに応じてイベント更新情報を出力するイベント更新情報出力ステップと、イベント更新情報を受信した場合に前記表示器で表示中のＷｅｂページ情報を前記イベント更新情報に従って更新する表示更新ステップと、をコンピュータに実行させることを特徴とする。
【発明の効果】
【００１７】
本発明の電子機器は、表示器用の表示器にＷｅｂブラウザ画面を採用した場合にもデバイス内部で発生するイベントをリアルタイムに表示することができる。
【発明を実施するための最良の形態】
【００１８】
次に、本発明の一実施形態に係る電子機器について、図面を参照して説明する。
【００１９】
図１は本発明の電子機器としての画像形成装置の要部のブロック図、図２は本発明の電子機器としての画像形成装置の表示器における表示例１の説明図、図３は本発明の電子機器としての画像形成装置の表示器における表示例２の説明図、図４は本発明の電子機器としての画像形成装置の表示器における表示例３の説明図である。
【００２０】
図１に示すように、本発明の一実施形態に係る電子機器としての画像形成装置１は、装置本体正面に、例えば、動作モード（プリンタモード・コピーモード・ファクシミリモード・スキャナモード等）の選択や拡大・縮小等の設定を行うためのタッチパネル方式の液晶の表示器２が設けられている。また、画像形成装置１は、表示器２の表示形式としてＷｅｂブラウザ形式が採用されており、図２乃至図４に示すＷｅｂブラウザ画面を表示するための閲覧ソフト（Ｗｅｂブラウザ）がインストールされた画面作成部３と、この画面作成部３で作成されたＨＴＭＬ形式のＷｅｂページ情報に基づいて表示器２の画面表示状態を制御するＷｅｂサーバ４とを備えている。さらに、画像形成装置１は、表示器２で操作された設定に基づいて画像形成処理等を行うデバイス５を制御する制御回路６と、画像形成処理全般に係わる各種制御プログラムを格納したＲＯＭ等のメモリ７とを備えている。
【００２１】
尚、制御回路６とメモリ７とは画像形成装置１の画像形成処理全般を制御するためのマイクロコンピュータを構成しており、画像作成部３とＷｅｂサーバ４とは表示器２の表示プログラム全般を制御するためのマイクロコンピュータ（表示メニュー管理部８）を構成している。従って、画像作成部３とＷｅｂサーバ４は、制御回路６とメモリ７とで兼用しても良い。また、制御回路７には、デバイス５からの現在動作状況が通知され、本発明の表示器２における状態表示プログラムの状態通知部の機能を兼用している。
【００２２】
これにより、画像形成装置１の表示器２をＨＴＭＬ形式のデータで作成することが可能となり、表示器２の表示画面の作成・保守・管理が非常に容易となる。尚、表示器２は、画像形成装置１の操作を行うものであるため、実際には、デバイス５としての一部を構成している。
【００２３】
この際、表示器２にＷｅｂブラウザ画面として表示するための画面データを画面作成部３からＷｅｂサーバ４を介して取得するのに利用するＨＴＴＰプロトコルの性質上、表示器２の表示状態の更新トリガーがユーザからの要求のみであると、イベントの更新に拘らずリアルタイムでの動作状態を知ることができない。
【００２４】
そのため、デバイス５で発生するイベント（表示器２による設定変更・紙詰まり・紙切れ等）を表示器２の表示状態更新トリガーとし、デバイス５の状態をリアルタイムで表示器２に反映することが好ましい。即ち、デバイ５でイベントが発生するまでは表示器２の表示状態をそのまま保持し、デバイス５でイベントが発生した場合にそのタイミングでイベントに対応するＷｅｂ画面のＷｅｂページ情報を画面作成部３で作成し、表示器３にそのＷｅｂページ情報を送信して表示器２のＷｅｂブラウザ画面を変更する。
【００２５】
以下、そのＷｅｂブラウザ画面の変更制御例を説明する。尚、図１において、以下に示すルーチンの各ステップを丸付き文字で示す。
【００２６】
（ステップ１）
表示器２は、Ｗｅｂサーバ４に対してデバイス５の状態表示画面（Ｗｅｂページ情報）を要求する。
【００２７】
（ステップ２）
Ｗｅｂサーバ４は、表示器２から要求された状態表示画面を作成するよう、画面作成部３に要求する。
【００２８】
（ステップ３，４）
また、Ｗｅｂサーバ４は、デバイス５の動作状態のイベント更新情報を状態通知部としての制御回路６が受信しているかどうかを確認する。
【００２９】
（ステップ５）
この際、制御回路６は、デバイス５からイベント更新情報を受信していない場合には、表示器２からのデバイス５の動作状態に対応するＷｅｂページ情報を画面作成部３で作成するよう、Ｗｅｂサーバ４（又は画面作成部３）にＷｅｂページ情報作成要求を出力する。
【００３０】
また、制御回路６は、デバイス５の状態が変化（例：紙切れ・紙詰まり等が発生）してデバイス５からイベント更新情報を受信した場合には、表示器２からのデバイス５の動作状態（更新情報）に対応するＷｅｂページ情報を画面作成部３で作成するよう、Ｗｅｂサーバ４（又は画面作成部３）にＷｅｂページ情報作成要求を出力する。
【００３１】
（ステップ６）
Ｗｅｂサーバ４は、制御回路６から入力されたＷｅｂページ情報作成要求に応じて、画面作成部３にＷｅｂページ情報作成要求を出力する。
【００３２】
（ステップ７）
画面作成部３は、Ｗｅｂサーバ４から出力されたＷｅｂページ作成要求に応じてＷｅｂページを作成すると共に、Ｗｅｂサーバ４にそのＷｅｂページ情報を出力する。
【００３３】
この際、画面作成部３は、メモリ機能を備えており（又は、メモリ７を利用して）、ＨＴＭＬ形式等を用いてデータ化された複数のＷｅｂページ情報が予めテーブル方式等で格納されており、そのイベントに応じたＷｅｂページ情報をＷｅｂサーバ４に送信する。
【００３４】
（ステップ８）
Ｗｅｂサーバ４は、画面作成部３から出力されたＷｅｂページ情報を表示器２に送信して表示器２にＷｅｂブラウザ画面を表示させる。
【００３５】
尚、以降においては、デバイス５の内部状態が変化する度に、デバイス５からイベント更新情報が制御回路６を介してＷｅｂサーバ４に通知され、その都度、Ｗｅｂサーバ４が表示器２に現在表示されているＷｅｂブラウザ画面に対応するＷｅｂページ情報を切断して、更新情報に対応する新たなＷｅｂページ情報を表示器２に出力する。
【００３６】
これにより、表示器２の表示形式にＷｅｂブラウザ画面を用いた画像形成装置等の電子機器において、余分な処理負荷を発生させることなくデバイス５の状態変化をリアルタイムで表示することができる。
【００３７】
このように、本発明の電子機器としての画像形成装置１によれば、表示器２の表示形式にＷｅｂブラウザ画面を用いる場合においても、デバイス５で発生するイベントに応じてリアルタイムで変更することができる。
【００３８】
ところで、上記実施の形態では、本発明の電子機器を画像形成装置に適用して説明したが、例えば、電磁調理器等のように、パネルスイッチ方式の表示器２を備えていると共に、その表示形式にＷｅｂ表示形式を採用した各種電子機器全般に適用することができることは勿論である。
【００３９】
また、このような電子機器がネットワーク接続されている場合、そのネットワークサーバに表示メニュー管理部８を設けても良い。
【図面の簡単な説明】
【００４０】
【図１】本発明の電子機器としての画像形成装置の要部のブロック図である。
【図２】本発明の電子機器としての画像形成装置の表示器における表示例１の説明図である。
【図３】本発明の電子機器としての画像形成装置の表示器における表示例２の説明図である。
【図４】本発明の電子機器としての画像形成装置の表示器における表示例３の説明図である。
【符号の説明】
【００４１】
１…画像形成装置（電子機器）
２…表示器
３…画面作成部
４…Ｗｅｂサーバ
５…デバイス
６…制御回路（状態通知部）
７…メモリ
８…表示メニュー管理部
【図１】
2008287531.tif 000003
【図２】
2008287531.tif 000004
【図３】
2008287531.tif 000005
【図４】
2008287531.tif 000006